(57)【要約】【課題】記録可能エリアにデータが記録されているか否かを短時間で判定する記録判定装置を提供する。【解決手段】記録判定装置１内の移動装置５は、ピックアップ３を光ディスク１００の径方向に移動する。ピックアップ３は、光ディスク１００にレーザ光を照射して、レーザスポット３２からの反射光に基づく電気信号を出力する。制御装置８は、電気信号に基づいて、レーザスポット３２の配置位置に関するアドレス情報を取得する。そして、制御装置８は、移動装置５を制御して、レーザスポット３２をデータエリア１１０から記録可能エリア１２０に向かって移動する。アドレス情報に基づいて特定された前記データエリア１１０と記録可能エリア１２０との境界部から基準時間が経過するまでの間、制御装置８は、電気信号に基づいて、記録可能エリア１２０にデータが記録されているか否かを判定する。【選択図】図１
2011227941.tif 000002
【特許請求の範囲】
【請求項１】
円環状のデータエリアと、前記データエリアの内側又は外側に配置され、データを記録可能な円環状の記録可能エリアとを含む光ディスクにおいて、前記記録可能エリアにデータが記録されているか否かを判定する記録判定装置であって、
前記光ディスクを回転するモータと、
前記光ディスクにレーザ光を照射して前記光ディスク上にレーザスポットを形成し、前記レーザスポットの配置位置からの反射光に基づく信号を出力するピックアップと、
前記ピックアップを前記光ディスクの径方向に移動する移動装置と、
制御装置とを備え、
前記制御装置は、
前記ピックアップからの信号に基づいて、前記レーザスポットの配置位置に関するアドレス情報を取得する取得手段と、
前記移動装置を制御して、前記レーザスポットを前記データエリアから前記記録可能エリアに向かって移動する移動制御手段と、
前記アドレス情報に基づいて特定された前記データエリアと前記記録可能エリアとの境界部から基準時間が経過するまでの間、前記信号に基づいて前記記録可能エリアにデータが記録されているか否かを判定する判定手段とを備える、記録判定装置。
【請求項２】
請求項１に記載の記録判定装置であって、
前記光ディスクには、螺旋状に延びるピット列が形成され、前記ピット列を構成する複数のピット列部は、前記光ディスクの径方向に配列され、
前記判定手段は、
前記アドレス情報に基づいて、前記レーザスポットの配置位置と前記記録可能エリアとの間に配置されるピット列部の本数を求める本数決定手段を備え、
前記判定手段は、前記レーザスポットが前記求められた本数分のピット列部を通過してから、前記基準時間が経過するまでの間、前記データが記録されているか否かを判定する、記録判定装置。
【請求項３】
請求項２に記載の記録判定装置であって、
前記判定手段は、
前記基準時間が経過するまでの間、前記信号に基づいて、前記ピット列部の有無を判定するピット判定手段を備える、記録判定装置。
【請求項４】
請求項３に記載の記録判定装置であって、
前記基準時間が経過するまでの間に前記ピット列部が有ると判定されたとき、前記ピット列部に配置された前記レーザスポットから得られる信号に基づいて、前記レーザスポットが配置されたエリアが記録可能エリアか否か判定するエリア判定手段を備える、記録判定装置。
【請求項５】
円環状のデータエリアと、前記データエリアの内側又は前記データエリアの外側に配置され、データが記録可能な円環状の記録可能エリアとを含む光ディスクにおいて、前記記録可能エリアにデータが記録されているか否かを判定する記録判定プログラムであって、
ピックアップを前記データエリアから前記記録可能エリアに向かって移動するステップと、
前記ピックアップにより前記光ディスク上に形成されるレーザスポットの反射光に応じて生成される信号に基づいて、前記レーザスポットの配置位置に関するアドレス情報を取得するステップと、
前記アドレス情報に基づいて特定された前記データエリアと前記記録可能エリアとの境界部から基準時間が経過するまでの間、前記信号に基づいて前記記録可能エリアにデータが記録されているか否かを判定するステップとをコンピュータに実行させる、記録判定プログラム。
【発明の詳細な説明】
【技術分野】
【０００１】
本発明は、記録判定装置及び記録判定プログラムに関し、さらに詳しくは、光ディスクにデータが記録されているか否かを判定する記録判定装置及び記録判定プログラムに関する。
【背景技術】
【０００２】
ＣＤ(Compact Disc)やＤＶＤ(Digital Versatile Disc)に代表される光ディスクは、音楽トラックや映像トラック、画像トラック等のデータが記録された円環状のデータエリアを有する。光ディスクはさらに、データエリアの内側及び外側に、円環状の記録可能エリアを有する。以下、データエリアの内側の記録可能エリアを内側エリアといい、データエリアの外側の記録可能エリアを外側エリアという。
【０００３】
これらの記録可能エリアは、データを記録可能である。たとえば、ＣＤの内側エリアには、セッション開始を意味するリードインや、ＴＯＣ(Table of Contents)等が記録され得る。また、ＣＤの外側エリアには、セッションの終了を意味するリードアウトが記録され得る。
【０００４】
データの書き換え又はデータの記録が可能な光ディスクでは、記録可能エリア（内側エリア及び外側エリア）にデータが記録されていない場合がある。たとえば、光ディスクがＣＤ−Ｒ(Compact Disk Recordable)である場合、音楽データが記録された後、さらなる音楽データが記録されることを考慮して、リードイン、ＴＯＣ及びリードアウトを記録しない場合がある。
光ディスク再生装置は通常、リードインやＴＯＣ、リードアウトを利用して再生処理を実行する。しかしながら、これらのデータが記録されていない場合、光ディスク再生装置は他の方法で再生処理を実行するか、エラー通知をして再生処理を実行しない。いずれの動作を行う場合でも、記録可能エリアにデータが記録されているか否かを光ディスク再生装置が判定できる方が好ましい。
【０００５】
従来の光ディスク再生装置は、以下の方法により記録可能エリアにデータが記録されているか否かを判定する。たとえば、特開２００６−１０７５８１号公報に開示されているように、光ディスク再生装置は光ディスクが装填された後、判定動作を実行する。判定動作では、光ディスク再生装置は、内側エリアに記録されているはずのＴＯＣを読み取る。具体的には、光ディスク再生装置は、光ディスクが装填された後、ピックアップにより光ディスクの主面に形成されるレーザスポットをデータエリアから内側エリアに向かって移動し、ＲＦ信号を生成する。そして、ＲＦ信号に基づいて、内側エリア内にデータが記録されているか否かを判断する。
【先行技術文献】
【特許文献】
【０００６】
【特許文献１】特開２００６−１０７５８１号公報
【発明の概要】
【発明が解決しようとする課題】
【０００７】
しかしながら、内側エリアにデータが記録されていない場合、光ディスク再生装置は、判定動作を繰り返し実行する。従来の光ディスク再生装置では、判定動作時のビームスポットの移動距離が長い。そのため、判定に時間が掛かる。
【０００８】
本発明の目的は、記録可能エリアにデータが記録されているか否かを短時間で判定する記録判定装置を提供することである。
【課題を解決するための手段及び発明の効果】
【０００９】
本発明による記録判定装置は、円環状のデータエリアと、データエリアの内側又は外側に配置され、データを記録可能な円環状の記録可能エリアとを含む光ディスクにおいて、記録可能エリアにデータが記録されているか否かを判定する。記録判定装置は、光ディスクを回転するモータと、光ディスクにレーザ光を照射して光ディスク上にレーザスポットを形成し、レーザスポットの配置位置からの反射光に基づく信号を出力するピックアップと、ピックアップを前記光ディスクの径方向に移動する移動装置と、制御装置とを備える。制御装置は、ピックアップからの信号に基づいて、レーザスポットの配置位置に関するアドレス情報を取得する取得手段と、移動装置を制御して、レーザスポットをデータエリアから記録可能エリアに向かって移動する移動制御手段と、アドレス情報に基づいて特定されたデータエリアと記録可能エリアとの境界部から基準時間が経過するまでの間、信号に基づいて記録可能エリアにデータが記録されているか否かを判定する判定手段とを備える。
本発明による記録判定装置は、レーザスポットをデータエリアと記録可能エリアとの境界部に移動した後、記録エリアにデータが記録されているか否かを判定する。そのため、記録可能エリアにデータが記録されているか否かを短時間で判定できる。
【図面の簡単な説明】
【００１０】
【図１】本発明の実施の形態による記録判定装置の構成を示す図である。
【図２】図１中の光ディスクの構造を示す図である。
【図３】図１に示す記録判定装置によるデータ有無の判定を説明するための図である。
【図４】図２に示す光ディスクの記録可能エリア内のデータ有無を判定する方法の一例を説明するための模式図である。
【図５】図１に示す記録判定装置による判定方法の一例を説明するための図である。
【図６】図１に示す記録判定装置の動作の詳細を示すフロー図である。
【図７】図６中の移動処理の動作の詳細を示すフロー図である。
【発明を実施するための形態】
【００１１】
以下、図面を参照し、本発明の実施の形態を詳しく説明する。図中同一又は相当部分には同一符号を付してその説明は繰り返さない。
【００１２】
［記録判定装置の全体構成］
図１は、本実施の形態による記録判定装置の構成を示す機能ブロック図である。光ディスクを再生する光ディスク再生装置は、図１に示す記録判定装置１を含む。
【００１３】
図１を参照して、記録判定装置１は、モータ２と、ピックアップ３と、スイッチ装置４と、移動装置５と、レール６と支持部材７と、制御装置８とを備える。
【００１４】
モータ２は、支持部材７に取り付けられる。モータ２はたとえば、スピンドルモータであり、光ディスク１００を回転する。モータ２はシャフト２１を備える。光ディスク１００は、シャフト２１に取り付けられる。
【００１５】
ピックアップ３は、光ディスク１００にビーム光を照射し、光ディスク１００からの反射光を受光する。ピックアップ３はさらに、反射光を電気信号に変換し、出力する。ピックアップ３は対物レンズ３１を備える。対物レンズ３１は、ピックアップ３から出力された電気信号に応じて、移動する。ピックアップ３自体の移動及び対物レンズ３１の移動により、ビーム光は光ディスク１００の主面上で集光し、光ディスク１００の主面上にレーザスポット３２を形成する。ピックアップ３は、レール６にスライド可能に支持される。レール６は光ディスク１００の径方向に延び、支持部材７に取り付けられる。したがって、ピックアップ３は、光ディスク１００の径方向に移動できる。
【００１６】
スイッチ装置４は、支持部材７に取り付けられる。スイッチ装置４は、ピックアップ３と物理的に接触したとき、スイッチ信号を制御装置８に出力する。スイッチ装置４は、記録判定装置１が判定処理を実行するとき、ピックアップ３を初期位置に配置するのに利用される。
【００１７】
移動装置５は、ピックアップ３を光ディスク１００の径方向に移動する。移動装置５は、モータ５０と、ラックギア５１とピニオンギア５２とを備える。ラックギア５１は、光ディスク１００の径方向に延びる。ラックギア５１は、ピックアップ３に取り付けられる。
【００１８】
モータ５０は、支持部材７に取り付けられる。モータ５０のシャフトには、ピニオンギア５２が取り付けられる。モータ５０は、制御装置８からの指示に応じて回転する。モータ５０の回転により、ピックアップ３が光ディスク１００の径方向に移動する。
【００１９】
制御装置８は、サーボ制御部８１と、信号処理部８２と、制御部８３とを含む。信号処理部８２は、ピックアップ３から出力された電気信号に基づいて、ＲＦ信号を生成する。ＲＦ信号は制御部８３に出力される。信号処理部８２はさらに、電気信号に基づいて、対物レンズ３１を移動させるためのレンズ制御信号を生成する。レンズ制御信号は、フォーカスエラー信号及びトラックエラー信号を含む。レンズ制御信号は、サーボ制御部８１に出力される。サーボ制御部８１は、レンズ制御信号に基づいて、レンズ３１を移動する。ピックアップ３の対物レンズ３１の周りには、図示しない複数のコイルが配置されている。サーボ制御部８１は、レンズ制御信号に応じてコイルに供給する電力を制御する。対物レンズ３１は、コイルの磁気作用に応じて移動する。
【００２０】
制御部８３は、モータ２を制御して、光ディスク１００を回転する。制御部８３はまた、移動装置５を制御して、ピックアップ３を光ディスク１００の径方向に移動する。制御部８３はさらに、ＲＦ信号に基づいて、光ディスク１００の主面上に形成されたレーザスポットの配置位置に関するアドレス情報を得る。アドレス情報はたとえば、データの先頭を０とした場合の時間情報やオフセット情報である。本例では、アドレス情報は時間情報とする。アドレス情報は、サブコードに含まれる。制御部８３はさらに、ＲＦ信号に基づいて、光ディスク１００にデータが記録されているか否かを判定する。
【００２１】
制御装置８内の各要部８１〜８３は、ハードウェアで構成されていてもよい。また、制御装置８が中央演算装置（ＣＰＵ）やメモリ、ハードディスクを備えたコンピュータであって、各要部８１〜８３が記録判定プログラムに基づいて構成されていてもよい。
【００２２】
［光ディスクの構成］
図２を参照して、光ディスク１００は、中央に貫通孔１０１を有し、円環状である。光ディスク１００は、データエリア１１０と、記録可能エリア１２０及び１３０と、記録不可エリア１４０及び１５０とを有する。これらのエリア１１０、１２０、１３０、１４０及び１５０はいずれも、円環状である。光ディスク１００はたとえば、ＣＤやＤＶＤである。
【００２３】
データエリア１１０には、ピット列ＰＬが形成される。図２に示すとおり、ピット列ＰＬは、光ディスク１００の円周方向に螺旋状に延びる。ピット列ＰＬに形成されたレーザスポット３２の反射光の強度に応じて、データが読み取られる。つまり、ピット列ＰＬは、光ディスク１００に記録されたデータに対応する。
【００２４】
図３は、図２中のデータエリア１１０の一部を拡大した図である。ピット列ＰＬは複数のピット列部ＰＬＰ１〜ＰＬＰｎ（ｎは自然数）で構成される。上述のとおり、ピット列ＰＬは螺旋状に配置される。そのため、図３に示すとおり、複数のピット列部ＰＬＰ１〜ＰＬＰｎは光ディスク１００の径方向に配列される。各ピット列部ＰＬＰｋ（ｋは自然数かつ、１≦ｋ≦ｎ）は、ＰＬＰｋ−１の周りに配置され、１周分の長さを有する。具体的には、図２を参照して、ピット列部ＰＬＰ１は、ピット列ＰＬの先端Ｅと、先端Ｅから１周した地点である地点Ｇとの間に配置される。ピット列部ＰＬＰ２は、地点Ｇと、地点Ｇからピット列部ＰＬＰ１の周りを１周した地点である地点Ｈとの間に配置される。
図３を参照して、ピット列ＰＬは、複数のピットＰＴを含む。複数のピットＰＴは配列され、隣り合うピットＰＴ同士の間には隙間が設けられる。隣り合うピット列部ＰＬＰｋ−１及びＰＬＰｋの間の距離（トラックピッチ）ＴＰは光ディスク１００の種類に応じて規定されている。
【００２５】
図２に戻って、記録可能エリア１２０は、データエリア１１０の内側に配置される。以降、記録可能エリア１２０を内側エリアという。内側エリア１２０にはデータを記録可能である。たとえば、内側エリア１２０には、リードインやＴＯＣが記録される。リードインやＴＯＣが記録された場合、内側エリア１２０にも１又は複数のピット列部ＰＬＰが形成される。ピット列部ＰＬＰは、上述のピット列ＰＬを構成する。つまり、内側エリア１２０に形成されたピット列部ＰＬＰは、データエリアに形成された他のピット列部ＰＬＰとつながる。内側エリア１２０にデータが記録されていない場合、内側エリア１２０にはピット列部ＰＬＰが形成されない。
【００２６】
記録可能エリア１３０は、データエリア１１０の外側に配置される。つまり、データエリア１１０は、記録可能エリア１３０の内側に配置される。以降、記録可能エリア１３０を外側エリア１３０という。外側エリア１３０にはデータを記録可能である。たとえば、外側エリア１３０には、リードアウトが記録される。内側エリア１２０と同様に、外側エリア１３０にデータが記録されている場合、外側エリア１３０にはピット列部ＰＬＰが形成される。一方、外側エリア１３０にデータが記録されていない場合、外側エリア１３０にはピット列部ＰＬＰは形成されない。
【００２７】
内側エリア１２０のさらに内側には、記録不可エリア１４０が配置される。外側エリア１３０のさらに外側には、記録不可エリア１５０が配置される。これらの記録不可エリア１４０及び１５０にはデータが記録できない。
ＲＦ信号から得られるサブコードは、上述のアドレス情報の他に、サブコードが読み取られた地点がどのエリア（データエリア１１０、内側エリア１２０、外側エリア１３０）であるかを示すエリア情報を含む。
【００２８】
［記録判定装置１の動作概要］
記録判定装置１の動作概要を説明する。
【００２９】
上述のとおり、光ディスク１００の記録可能エリア（内側エリア１２０及び外側エリア１３０）には、データが記録されている場合と、データが記録されていない場合とがある。たとえば、光ディスク１００がＣＤ−Ｒである場合、データを将来追加記録するために、リードイン、ＴＯＣ及びリードアウトを記録しない場合がある。光ディスク再生装置は通常、リードインやＴＯＣ、リードアウトを利用して再生処理を実行する。しかしながら、これらのデータが記録されていない場合、光ディスク再生装置は他の方法で再生処理を実行するか、エラー通知をして再生処理を実行しない。いずれの動作を行う場合でも、記録可能エリア１２０、１３０にデータが記録されているか否かを短時間で判定できる方が好ましい。
【００３０】
内側エリア１２０にデータが記録されているか否かを判定する方法として、たとえば図４に示す方法がある。初めに、ピックアップを光ディスク１００の径方向に移動する。ピックアップがスイッチ装置と物理的に接触したとき、ピックアップがいったん停止する。このとき、図４に示すとおり、レーザスポット３２０がデータエリア１１０内の地点Ｐ１に配置されると仮定する。スイッチ装置は、地点Ｐ１がなるべくデータエリア１１０と内側エリア１２０との境界に近くなるように、配置されている。
【００３１】
次に、対物レンズを移動して、レーザスポット３２０を地点Ｐ１（データエリア１１０）から内側エリア１２０に向かって移動する。このとき、レーザスポット３２０は、複数のピット列部ＰＬＰを横切りながら、移動する。レーザスポット３２０が移動する間に取得されるＲＦ信号に基づいて、内側エリア１２０にデータが記録されているか否かを判定する。
【００３２】
以上の方法によって、内側エリア１２０に記録されたデータの有無を確認する場合、レーザスポット３２０は、地点Ｐ１から内側エリア１２０内に移動するまでに、複数のピット列部ＰＬＰを横切らなければならない。要するに、地点Ｐ１から内側エリア１２０までの距離が遠い。そのため、判定に時間が掛かる。
【００３３】
判定時間が掛かる場合、以下の問題が生じ得る。たとえば、地点Ｐ１から内側エリア１２０までの間に、汚れが付着した領域がある場合、その領域ではデータが記録されていないと光ディスク再生装置は判断する。この場合、光ディスク再生装置はレンズ制御信号を取得できないため、対物レンズの移動を制御しにくくなり、対物レンズの移動が正確に行えない。したがって、判定処理の開始位置が内側エリア１２０から遠い場合、判定時間がさらに掛かる場合がある。
【００３４】
スイッチ装置の配置位置を調整しても、地点Ｐ１と内側エリア１２０との間の距離は縮まりにくい。光ディスク１００のトラックピッチＴＰは１μｍ前後である。したがって、スイッチ装置４の配置位置をμｍ単位で調整するのは困難である。
【００３５】
そこで、本実施の形態による記録判定装置１は、以下の方法により開始位置を記録可能エリア１２０に近づける。図５を参照して、初めに、ピックアップ３を光ディスク１００の径方向に移動する。そして、スイッチ装置４により、地点Ｐ１にレーザスポット３２を配置する（図５中（１））。続いて、光ディスク１００を回転し、ＲＦ信号を取得する。続いて、ＲＦ信号に含まれるアドレス情報を読み取る。上述のとおり、本例では、アドレス情報は、データエリア１１０の先端Ｅを０とした時間情報であり、光ディスク１００（ＣＤ又はＤＶＤ）の規格により規定された線速度で光ディスク１００を回転したときの経過時間を示す。
【００３６】
光ディスク１００の中心とデータエリア１１０の先端Ｅとの間の距離（半径）Ｒは、規格により定められている。そして、線速度Ｖも一定である。したがって、データエリア１１０内の先端Ｅ近傍部分において、光ディスク１００が１回転するのに要する時間Ｔ１は以下の式（１）で定義される。
Ｔ１＝２πＲ／Ｖ  （１）
【００３７】
レーザスポット３２が当たる地点で得られたアドレス情報（時間情報）がＴ１以下であれば、レーザスポット３２は、先端Ｅから１周未満のピット列部ＰＬＰ１上に配置されていることになる。
【００３８】
そこで、記録判定装置１は、レーザスポット３２を、スイッチ装置４により停止した地点Ｐ１から、さらに内側エリア１２０に向かって移動する。移動中、記録判定装置１は、ＲＦ信号を連続的に生成し、アドレス情報を取得する。そして、アドレス情報がＴ１以下になるまで、レーザスポット３２を移動する。記録判定装置１は、アドレス情報がＴ１以下となる地点Ｐ２で、レーザスポット３２を停止する（図５中（２））。
【００３９】
要するに、記録判定装置１は、地点Ｐ１で得られたアドレス情報に基づいて、レーザスポット３２を、データエリア１１０と内側エリア１２０との境界部（地点Ｐ２）に移動させる。
【００４０】
そして、記録判定装置１は、地点Ｐ２から判定処理を開始する。具体的には、記録判定装置１は、地点Ｐ２から内側エリア１２０に向かってレーザスポット３２を基準時間移動し、得られたＲＦ信号から記録データの有無を判定する（図５中（３））。この場合、図４に示す方法よりも判定時間が短くなる。なぜなら、地点Ｐ２から内側エリア１２０までの距離は、地点Ｐ１から内側エリア１２０までの距離よりも顕著に短いからである。
【００４１】
以上の方法により、記録判定装置１では、判定時間を短くすることができる。上述のとおり、ピックアップ３がデータを読みとれなかった場合（データが記録されていない場合、又は、データは記録されているが、光ディスク１００の主面が汚れている場合）、対物レンズ３１をサーボ制御しにくくなり、判定時間がさらに遅れる場合がある。しかしながら、本実施の形態による記録判定装置１の動作では、判定時間が短いために、図４の方法と比較して、判定時間の遅れを抑制できる。
【００４２】
以上のとおり、記録判定装置１は、記録可能エリア１２０及び１３０にデータが記録されているか否かを判定する時間を短くすることができる。以下、記録判定装置１の動作の詳細を説明する。
【００４３】
［記録判定装置１の動作詳細］
図６は記録判定装置１の動作の詳細を示すフロー図である。制御装置８内の制御部８３は初めに、移動装置５を制御してピックアップ３を光ディスク１００の中心に向かって径方向に移動する。移動の結果、ピックアップ３がスイッチ装置４と物理的に接触する。スイッチ装置４は、ピックアップ３と接触したとき、スイッチ信号を制御装置８に出力する。
【００４４】
図６を参照して、制御装置８内の制御部８３は、スイッチ信号を受信したとき、レーザスポット３２が地点Ｐ１に到達したと判断する（Ｓ０）。そこで、制御部８３は、現在のレーザスポット３２の配置位置（ここでは地点Ｐ１）におけるサブコードを読みとる（Ｓ１）。具体的には、制御部８３は、モータ２を制御して、光ディスク１００を回転する。制御装置８内の信号処理部８２は、ピックアップから電気信号を受け、ＲＦ信号を生成する。制御部８３は、ＲＦ信号からサブコートを読み取る。上述のとおり、サブコードは、エリア情報と時間情報とを含む。制御部８３は、エリア情報に基づいて、レーザスポット３２の配置位置がデータエリア１１０内であると判断する（Ｓ２でＮＯ）。
【００４５】
制御部８３は続いて、レーザスポット３２の現在の配置位置がデータエリア１１０と内側エリア１２０との境界部であるか否かを判断する（Ｓ４）。レーザスポット３２の配置位置は、ピット列部ＰＬＰ上である。制御部８３は、レーザスポット３２の配置位置がピット列ＰＬの先端Ｅから１周以内であるか否か、換言すれば、配置位置が、ピット列部ＰＬＰ１内であるか否かを判定する。要するに、本例では、ピット列部ＰＬＰ１内を「境界部」と定義する。
【００４６】
図５を参照して、地点Ｐ１はデータエリア１１０内であり、境界部ではない（Ｓ４でＮＯ）。そこで、制御部８３は、移動装置５を制御して、レーザスポット３２を、さらに内側エリア１２０に向かって移動する（Ｓ５：移動処理）。
【００４７】
図７は、ステップＳ５の移動処理の詳細を示すフロー図である。図７を参照して、制御部８３は、アドレス情報に基づいて特定された境界部の位置に基づいて、レーザスポット３２の移動量を決定する（Ｓ５０１）。現在のレーザスポット３２の配置位置でのアドレス情報（時間情報）がＴ２である場合、制御部８３は、式（２）に基づいて、横断すべきピット列部ＰＬＰの本数Ｃを求める。
Ｃ＝Ｔ２／Ｔ０  （２）
【００４８】
ここで、Ｔ０は、ピット列部ＰＬＰ１の後端Ｇ（図２参照）、つまり、ピット列ＰＬのうち、先端Ｅから１周した地点での時間情報である。式（２）で得られた数値の小数点以下を切り捨て、本数Ｃとする。制御部８３は、本数Ｃを変数に設定する。
【００４９】
変数Ｃに基づいて、制御部８３はレーザスポット３２の移動を開始する（Ｓ５０２）。図３に示すとおり、レーザスポット３２がピット列部ＰＬＰｋ（ｋは自然数、かつ、１≦ｋ≦ｎ）を横切るとき、ＲＦ信号の下エンベロープのレベルが変化する。具体的には、レーザスポット３２がピット列部ＰＬＰｋ上に配置されたとき、ＲＦ信号の下エンベロープのレベルは基準レベルＶＴよりも下がり、レーザスポット３２がピット列部ＰＬＰｋとピット列部ＰＬＰｋ−１との間に配置されたとき、つまり、ピット列部ＰＬＰ以外の領域に配置されたとき、ＲＦ信号の下エンベロープは基準レベルＶＴよりも上がる。
【００５０】
そこで、ステップＳ５０２の後、制御部８３は、ＲＦ信号の下エンベロープのレベルの測定を開始する（Ｓ５０３）。制御部８３は、測定された下エンベロープのレベルが基準レベルＶＴよりも高いか否かを判断する（Ｓ５０４）。下エンベロープのレベルが基準レベルＶＴよりも低い場合（Ｓ５０４でＮＯ）、制御部８３は測定を継続する（Ｓ５０３）。
【００５１】
ステップＳ５０４において、下エンベロープのレベルが基準レベルＶＴよりも高い場合（Ｓ５０４でＹＥＳ）、ステップＳ５０５に進み、制御部８３は、下エンベロープの測定を継続する（Ｓ５０５）とともに、下エンベロープのレベルが基準レベルＶＴよりも低いか否かを判断する（Ｓ５０６）。低い場合（Ｓ５０６でＹＥＳ）、レーザスポット３２は、１つのピット列部ＰＬＰｋを横切ったことになる。そこで、制御部８３は変数ＣをデクリメントしてＣ−１とし（Ｓ５０７）、ステップＳ５０３に戻って、下エンベロープのレベルを監視する（Ｓ５０３）。つまり、変数Ｃが０になるまで（Ｓ５０８でＹＥＳ）、ステップＳ５０３〜ステップＳ５０８の動作を繰り返す。
【００５２】
変数Ｃが０になったとき（Ｓ５０８でＹＥＳ）、レーザスポット３２は、地点Ｐ１から境界部までの間に配置されるＣ本のピット列部ＰＬＰを通過し、境界部（図５中のピット列ＰＬＰ１上の地点Ｐ２）に配置される。そのため、制御部８３はレーザスポット３２の移動をいったん停止し（Ｓ５０９）、ステップＳ５の移動処理を終了する。
【００５３】
図６に戻って、移動処理（Ｓ５）を終了した後、制御部８３は境界部（地点Ｐ２）でのサブコードを取得する（Ｓ１）。制御部８３は、サブコード内のエリア情報に基づいて、
レーザスポット３２の配置位置が内側エリア１２０内か否かを判断する（Ｓ２）。ステップＳ２でＹＥＳの場合、内側エリア１２０にデータが記録されていることを意味する。なぜなら、データが記録されていなければ、ピット列が形成されず、サブコードが読み取れないからである。したがってこの場合、制御部８３は、内側エリア１２０にはデータが記録されていると判断する（Ｓ３）。
【００５４】
一方、ステップＳ２での判断の結果、レーザスポット３２の配置位置がデータエリア１１０内である場合（Ｓ２でＮＯ）、ステップＳ４に進む。ステップＳ５を実行した後であるため、レーザスポット３２の配置位置は、境界部（地点Ｐ２）である（Ｓ４でＹＥＳ）。そこで、制御部８３は、判定処理を実行する（Ｓ６〜Ｓ１３）。つまり、制御部８３は、地点Ｐ２から判定処理を開始する。
【００５５】
制御部８３はまず、移動装置５を制御して、対物レンズ３１又はピックアップ３を半径方向に移動し、レーザスポット３２を内側エリア１２０に向かって移動する（Ｓ６）。このとき、制御部８３は、ＲＦ信号の下エンベロープのレベルを測定する（Ｓ７）。そして、下エンベロープのレベルが基準レベルＶＴよりも高いと判断したとき（Ｓ８でＹＥＳ）、つまり、レーザスポット３２がピット列部ＰＬＰ１から離れたとき、タイマを基準時間ΔＴにセットする（Ｓ９）。
【００５６】
レーザスポット３２の移動速度がＶｓ（μｍ／ｓｅｃ）であり、とし、トラックピッチがＤｐ（μｍ）である場合、１つのピット列部ＰＬＰｋを横切るのに必要な時間Ｔ３は、式（３）で定義される。
【００５７】
Ｔ３＝Ｄｐ／Ｖｓ  （３）
したがって、ステップＳ９のタイマにセットする基準時間ΔＴは、Ｔ３以上とする。基準時間ΔＴは、地点Ｐ２からレーザスポット３２が記録不可エリア１４０に到達する時間未満とする。制御部８３は、地点Ｐ２から判定処理を開始する。そのため、少なくともＴ３時間が経過するまでの間、記録データの有無を判定すれば、内側エリア１２０にデータが記録されているか否かを判定できる。好ましくは、余裕代を考慮して、タイマに設定される基準時間ΔＴは３×Ｔ３〜５×Ｔ３程度である。
【００５８】
タイマがオーバフローするまでの間（Ｓ１３でＹＥＳ）、つまり、基準時間ΔＴが経過するまでの間、制御部８３は、ＲＦ信号に基づいて内側エリア１２０内にデータが記録されているか否かを判定する（Ｓ１０〜Ｓ１３）。具体的には、制御部８３は、ＲＦ信号の下エンベロープのレベルが基準レベルＶＴ未満になったか否かを監視する（Ｓ１０及びＳ１１）。タイマがオーバフローする前に下エンベロープのレベルが基準レベルＶＴよりも低くなったとき（Ｓ１３でＮＯ、Ｓ１１でＹＥＳ）、レーザスポット３２が内側エリア１２０内のピット列部ＰＬＰ上に配置された可能性が高い。そこで、制御部８３はレーザスポット３２の移動を停止する（Ｓ１２）。そして、制御部８３は、ステップＳ１に戻ってＲＦ信号からサブコードを取得し（Ｓ１）、レーザスポット３２の現在位置が内側エリア１２０内か否かを判断する（Ｓ２）。現在位置が内側エリア１２０内である場合（Ｓ２でＹＥＳ）、内側エリア１２０にデータが記録されていると判断する（Ｓ３）。
【００５９】
一方、タイマがオーバフローした場合（Ｓ１３）、制御部８３は、内側エリア１２０にデータが記録されていないと判定する（Ｓ１４）。
【００６０】
以上の動作により、記録判定装置１は、内側エリア１２０内にデータが記録されているか否かを短時間で判定できる。
【００６１】
上述の実施の形態では、記録判定装置１は、内側エリア１２０内のデータの有無を判定した。しかしながら、記録判定装置１は、上述の同様の方法により、外側エリア１３０内のデータの有無も確認できる。この場合、記録判定装置１は、図６中のステップＳ４において、データエリア１１０の後端Ｆ（図２参照）のアドレス情報と、レーザスポット３２の現在位置のアドレス情報とに基づいて、データエリア１１０と外側エリア１３０との境界部を特定する。ここでいう境界部は、後端Ｆから１周分のピット列部になる。そして、制御部８３は、レーザスポット３２を光ディスク１００の外周に向かって径方向に移動し、レーザスポット３２が特定された境界部に到達してから基準時間経過するまでの間、ＲＦ信号に基づいてピット列部ＰＬＰの有無を判定する。
【００６２】
上述の実施の形態では、レーザスポット３２が境界部に到達したとき、レーザスポット３２をいったん停止する（Ｓ５０９）。しかしながら、制御部８３は、ステップＳ５０８でＹＥＳと判断した後、レーザスポット３２の移動を停止することなく、ステップ１の処理を実行してもよい。要するに、制御部８３は、レーザスポット３２が境界部に到達したときに、レーザスポット３２を停止しなくてもよい。
【００６３】
以上、本発明の実施の形態を説明したが、上述した実施の形態は本発明を実施するための例示に過ぎない。よって、本発明は上述した実施の形態に限定されることなく、その趣旨を逸脱しない範囲内で上述した実施の形態を適宜変形して実施することが可能である。
【符号の説明】
【００６４】
１  記録判定装置
２  モータ
３  ピックアップ
４  スイッチ装置
５  移動装置
６  レール
７  支持部材
８  制御装置
３１  対物レンズ
３２  レーザスポット
５０  モータ
５１  ラックギア
５２  ピニオンギア
８１  サーボ制御部
８２  信号処理部
８３  制御部
１００  光ディスク
１１０  データエリア
１２０，１３０  記録可能エリア
１４０，１５０  記録不可エリア
【図１】
2011227941.tif 000003
【図２】
2011227941.tif 000004
【図３】
2011227941.tif 000005
【図４】
2011227941.tif 000006
【図５】
2011227941.tif 000007
【図６】
2011227941.tif 000008
【図７】
2011227941.tif 000009